(57)【要約】【課題】操作者が手首や肘を回転させることによらないで、簡単な操作により揺動可能な操作ノブを体裁よく備える。【解決手段】シートのスライドロック機構，シートクッションのチップアップ機構を含むシートの付属機構を作動する操作ノブを備えるもので、少なくともノブ操作可能なストローク間隔ｇを保って操作ノブ１と相対する立上り部２ａをノブ操作に伴う指掛け部として設け、また、操作ノブ１と相対する立上り部２ａをノブ操作に伴う指掛け部として設けた収容ケース２を受け皿とし、操作ノブ１を収容ケース２の面内に備え付ける。【選択図】  図１
2004359116.tif 000002
【特許請求の範囲】
【請求項１】
シートのスライドロック機構，シートクッションのチップアップ機構を含むシートの付属機構を作動する操作ノブを備える自動車用シートにおいて、少なくともノブ操作可能なストローク間隔を保って操作ノブと相対する立上り部をノブ操作に伴う指掛け部として設けたことを特徴とする操作ノブを備える自動車用シート。
【請求項２】
少なくともスライドロック開錠用としてシートバックの側部に備え付けると共に、シートの移動方向と同方向に揺動操作する操作ノブを備え付けたことを特徴とする請求項１に記載の操作ノブを備える自動車用シート。
【請求項３】
付属機構を作動させないフリー領域を保って作動領域に至る広いストローク間隔を有する操作ノブを備え付けたことを特徴とする請求項１または２に記載の操作ノブを備える自動車用シート。
【請求項４】
操作ノブと相対する立上り部をノブ操作に伴う指掛け部として設けた収容ケースを受け皿とし、少なくともノブ操作可能なストローク間隔を立上り部との間に保って操作ノブを収容ケースの面内に備え付けたことを特徴とする請求項１〜３のいずれかに記載の操作ノブを備える自動車用シート。
【請求項５】
操作ノブのノブ本体を面内に露出位置し、軸受け用のボス部を覆う前カバー部を上部側に有する収容ケースを備え付けたことを特徴とする請求項４に記載の操作ノブを備える自動車用シート。
【発明の詳細な説明】
【０００１】
【発明の属する技術分野】
本発明は、シートのスライドロック機構，シートクッションのチップアップ機構を含むシートの付属機構を作動する操作ノブを備える自動車用シート自動車用シートに関するものである。
【０００２】
【従来の技術】
従来、シートの付属機構を作動する操作ノブとしては、操作者がノブ本体を指全体で握って揺動操作するもの備え付けられている（特許文献１）。
【０００３】
その操作ノブは、操作者が手首や肘を回転することから揺動操作する仕様のものとして備え付けられている。
【０００４】
【特許文献１】
特開２００２−３６０３７７号公報
【０００５】
【発明が解決しようとする課題】
本発明は、操作者が手首や肘を回転させることによらないで、簡単な操作により揺動可能な操作ノブを体裁よく備える自動車用シートを提供することを目的とする。
【０００６】
【課題を解決するための手段】
本発明の請求項１に係る操作ノブを備える自動車用シートにおいては、シートのスライドロック機構，シートクッションのチップアップ機構を含むシートの付属機構を作動する操作ノブを備えるもので、少なくともノブ操作可能なストローク間隔を保って操作ノブと相対する立上り部をノブ操作に伴う指掛け部として設けることにより構成されている。
【０００７】
本発明の請求項２に係る操作ノブを備える自動車用シートにおいては、少なくともスライドロック開錠用としてシートバックの側部に備え付けると共に、シートの移動方向と同方向に揺動操作する操作ノブを備え付けることにより構成されている。
【０００８】
本発明の請求項３に係る操作ノブを備える自動車用シートにおいては、付属機構を作動させないフリー領域を保って作動領域に至る広いストローク間隔を有する操作ノブを備え付けることにより構成されている。
【０００９】
本発明の請求項４に係る操作ノブを備える自動車用シートにおいては、操作ノブと相対する立上り部をノブ操作に伴う指掛け部として設けた収容ケースを受け皿とし、少なくともノブ操作可能なストローク間隔を立上り部との間に保って操作ノブを収容ケースの面内に備え付けることにより構成されている。
【００１０】
本発明の請求項５に係る操作ノブを備える自動車用シートにおいては、操作ノブのノブ本体を面内に露出位置し、軸受け用のボス部を覆う前カバー部を上部側に有する収容ケースを備え付けることにより構成されている。
【００１１】
【発明の実施の形態】
以下、添付図面を参照して説明すると、図示実施の形態としては、図１で示すように操作ノブ１をシートバック２の側部に備える自動車用シートが例示されている。
【００１２】
その操作ノブ１で作動する付属機構としては、シートバックＢをシートクッションＣに傾倒させまたは角度調整するリクライニング機構、シート全体を所定の着座位置に施錠するスライドロック機構、シートクッションＣをシートバックＢに向けて跳ね上げるチップアップ機構等が挙げられる。この付属機構と操作ノブ１は、ワイヤケーブルで連結されている。
【００１３】
操作ノブ１は、図２で示すようにシートバックＢの片側部に取り付られる収容ケース２を受け皿として面内に備え付けられている。この収容ケース２には、少なくともノブ操作可能なストローク間隔ｇを保って操作ノブ１の揺動方向で相対する立上り部２ａがノブ操作に伴う指掛け部として設けられている。
【００１４】
その立上り部２ａを設けると、図３で示すように人差し指から小指までを操作ノブ１のノブ本体１ａに掛け、親指を立上り部２ａに掛ける如く操作ノブ１を手で挟み込んで揺動操作できるため、操作者が手首や肘を回転させることによらないで、ノブ操作を容易に行なえる。なお、立上り部２ａは収容ケース２と別体に設けるようにもできる。
【００１５】
その操作ノブ１は、スライドロック機構の開錠用として備える場合、シートの移動方向（矢印Ｘ参照）と同方向（矢印Ｙ参照）に揺動操作するものとして備え付けるとよい。この場合には、操作者が手を操作ノブ１に掛けたままでシート全体を操作性よく移動できる。
【００１６】
操作ノブ５のストローク間隔ｇは、付属機構を作動させないフリー領域を保って作動領域に至るよう広く設定するとよい。この場合には、誤作動を防げると共に、手の小さい人手も操作ノブ１のノブ本体１ａをつかみ易くできる。
【００１７】
収容ケース２には、立上り部２ａと共に、操作ノブ１のノブ本体１ａを面内に露出位置し、軸受け用のボス部１ｂを覆う前カバー部２ｂを上部側に設けるとよい。また、張出し鍔部２ｃを下部側に設けることから、操作ノブ２の取付形態をより体裁のよいものに保てる。
【００１８】
上述した実施の形態は、操作ノブ１をシートバックＢの側部に備える場合に基づいて説明したが、シートクッションの側部に備える操作ノブとしても適用できる。
【００１９】
【発明の効果】
以上の如く、本発明の請求項１に係る操作ノブを備える自動車用シートに依れば、シートのスライドロック機構，シートクッションのチップアップ機構を含むシートの付属機構を作動する操作ノブを備えるもので、少なくともノブ操作可能なストローク間隔を保って操作ノブと相対する立上り部をノブ操作に伴う指掛け部として設けることから、人差し指から小指までを操作ノブのノブ本体に掛け、親指を立上り部に掛ける如く操作ノブを手で挟み込んで揺動操作でき、操作者が手首や肘を回転させることによらないでノブ操作を容易に行なえる。
【００２０】
本発明の請求項２に係る操作ノブを備える自動車用シートに依れば、少なくともスライドロック開錠用としてシートバックの側部に備え付けると共に、シートの移動方向と同方向に揺動操作する操作ノブを備え付け、操作ノブの揺動方向とをシートの移動方向とを同方向に設定することから、シートを簡単な操作で操作性よく移動できる。
【００２１】
本発明の請求項３に係る操作ノブを備える自動車用シートに依れば、付属機構を作動させないフリー領域を保って作動領域に至る広いストローク間隔を有する操作ノブを備え付けることにより、誤作動を防げると共に、手の小さい人手も操作ノブのノブ本体をつかみ易くできる。
【００２２】
本発明の請求項４に係る操作ノブを備える自動車用シートに依れば、操作ノブと相対する立上り部をノブ操作に伴う指掛け部として設けた収容ケースを受け皿とし、少なくともノブ操作可能なストローク間隔を立上り部との間に保って操作ノブを収容ケースの面内に備え付けることにより、ノブ操作を容易に行なえると共に、操作ノブを収容ケースの面内に体裁よく備え付けられる。
【００２３】
本発明の請求項５に係る操作ノブを備える自動車用シートに依れば、操作ノブのノブ本体を面内に露出位置し、軸受け用のボス部を覆う前カバー部を上部側に有する収容ケースを備え付けることから、操作ノブを収容ケースの面内により体裁よく備え付けられる。
【図面の簡単な説明】
【図１】本発明に係る操作ノブを備える自動車用シートを全体的に示す斜視図である。
【図２】図１の自動車用シートに備えられる操作ノブを取付形態で示す説明図である。
【図３】図１の自動車用シートに備えられる操作ノブを操作態様で示す説明図である。
【符号の説明】
１            操作ノブ
１ａ          操作ノブのノブ本体
１ｂ          操作ノブのボス部
２            操作ノブの収容ケース
２ａ          指掛け用の立上り部
２ｂ          収容ケースの前カバー部
ｇ            操作ノブのストローク間隔
Ｘ            シートの位置移動方向
Ｙ            操作ノブの揺動操作方向
【図１】
2004359116.tif 000003
【図２】
2004359116.tif 000004
【図３】
2004359116.tif 000005